(57)【要約】【課題】  従来の断面矩形状の角型柱に簡単に固定できる落下防止ネットはなかった。【解決手段】  本発明の落下防止ネットは、ネットと、該ネットを開いた状態で支持する４本の長尺状のネット支持体と、上記４本のネット支持体のうちの２本の一方及び他方のネット支持体を固定すると共に、断面矩形状の角型柱の正面の左側の角部に当接される左側のＬ字取付具と、残りの２本の一方及び他方のネット支持体を固定すると共に、上記角型柱の正面の右側の角部に当接される右側のＬ字取付具と、上記左側Ｌ字取付具及び右側Ｌ字取付具を、上記角型柱に固定する固定手段とよりなることを特徴とする。【選択図】  図１
2019011556.tif 000002
【特許請求の範囲】
【請求項１】
ネットと、
該ネットを開いた状態で支持する４本の長尺状のネット支持体と、
上記４本のネット支持体のうちの２本の一方及び他方のネット支持体を固定すると共に、断面矩形状の角型柱の正面の左側の角部に当接される左側のＬ字取付具と、
残りの２本の一方及び他方のネット支持体を固定すると共に、上記角型柱の正面の右側の角部に当接される右側のＬ字取付具と、
上記左側Ｌ字取付具及び右側Ｌ字取付具を、上記角型柱に固定する固定手段とよりなることを特徴とする落下防止ネット。
【請求項２】
上記ネット支持体は、上記Ｌ字取付具に接続される基部から先端部に向かうに従って上下方向の幅が狭くなる三角形状の長尺状の板体とよりなり、該板体には、三角形状の開口部が設けられると共に、該上辺縁と下辺縁とを連結する１又は複数の連結杆を有することを特徴とする請求項１に記載の落下防止ネット。
【請求項３】
上記連結杆により区画された上記開口部の各開口部分が、それぞれ三角形状となるように、上記連結杆が設けられることを特徴とする請求項２に記載の落下防止ネット。
【請求項４】
上記４つのネット支持体は、水平面内に放射状に設けられ、
上記左側のＬ字取付具に固定される一方のネット支持体は、上記角型柱の左側面に直交する方向に固定されると共に、上記左側のＬ字取付具に固定される他方のネット支持体は、該一方のネット支持体に対して、正面側に６５度傾斜して固定され、
上記右側のＬ字取付具に固定される一方のネット支持体は、上記角型柱の右側面に直交する方向に固定されると共に、上記右側のＬ字取付具に固定される他方のネット支持体は、該一方のネット支持体に対して、正面側に６５度傾斜して固定されることを特徴とする請求項１、２または３に記載の落下防止ネット。
【請求項５】
上記固定手段は締付ベルトであり、該締付ベルトは、上記左側のＬ字取付具と上記右側のＬ字取付具とを上記柱の正面側で連結し締め付ける第１のベルトと、
上記左側のＬ字取付具と上記右側のＬ字取付具とを上記柱の背面側で連結し締め付ける第２のベルトとよりなることを特徴とする請求項１、２、３又は４に記載の落下防止ネット。
【発明の詳細な説明】
【技術分野】
【０００１】
本発明は、角型柱取付用の落下防止ネット、特に、鉄道線路内の断面矩形状の角型柱に取り付けるための落下防止ネットに関するものである。
【背景技術】
【０００２】
鉄道線路内の電柱際の高所作業において、工具や取付金具などの落下を防止するために、従来、例えば、コンクリート柱や鋼管柱などの丸形柱に取り付けられる落下防止ネットは、よく知られている（特許文献１）。
【先行技術文献】
【特許文献】
【０００３】
【特許文献１】実開平５−５８７６６号公開公報
【発明の概要】
【発明が解決しようとする課題】
【０００４】
しかしながら、角型鉄柱に取り付けられる落下防止ネットは無く、従来においては、脱落防止ロープに工具などを取り付けて、作業をしていたが、脱落防止ロープを取り付けない材料や撤去した金具は作業者の注意力に依存しており、落下の危険性があった。
【０００５】
本発明は、角型柱に簡単に取り付けられると共に、軽量化と強度を確保した落下防止ネットを提供することを目的とする。
【課題を解決するための手段】
【０００６】
本発明の角型柱取付用の落下防止ネットは、ネットと、該ネットを開いた状態で支持する４本の長尺状のネット支持体と、上記４本のネット支持体のうちの２本の一方及び他方のネット支持体を固定すると共に、断面矩形状の角型柱の正面の左側の角部に当接される左側のＬ字取付具と、残りの２本の一方及び他方のネット支持体を固定すると共に、上記角型柱の正面の右側の角部に当接される右側のＬ字取付具と、上記左側Ｌ字取付具及び右側Ｌ字取付具を、上記角型柱に固定する固定手段とよりなることを特徴とする。
【０００７】
また、上記ネット支持体は、上記Ｌ字取付具に接続される基部から先端部に向かうに従って上下方向の幅が狭くなる三角形状の長尺状の板体とよりなり、該板体には、三角形状の開口部が設けられると共に、該上辺縁と下辺縁とを連結する１又は複数の連結杆を有することを特徴とする。
【０００８】
また、上記連結杆により区画された上記開口部の各開口部分が、それぞれ三角形状となるように、上記連結杆が設けられることを特徴とする。
【０００９】
また、上記４つのネット支持体は、水平面内に放射状に設けられ、上記左側のＬ字取付具に固定される一方のネット支持体は、上記角型柱の左側面に直交する方向に固定されると共に、上記左側のＬ字取付具に固定される他方のネット支持体は、該一方のネット支持体に対して、正面側に６５度傾斜して固定され、上記右側のＬ字取付具に固定される一方のネット支持体は、上記角型柱の右側面に直交する方向に固定されると共に、上記右側のＬ字取付具に固定される他方のネット支持体は、該一方のネット支持体に対して、正面側に６５度傾斜して固定されることを特徴とする。
【００１０】
また、上記固定手段は締付ベルトであり、該締付ベルトは、上記左側のＬ字取付具と上記右側のＬ字取付具とを上記柱の正面側で連結し締め付ける第１のベルトと、上記左側のＬ字取付具と上記右側のＬ字取付具とを上記柱の背面側で連結し締め付ける第２のベルトとよりなることを特徴とする。
【発明の効果】
【００１１】
本発明によれば、角型柱に簡単に取り付けられる。また、軽量化と強度を兼ねることができる。
【図面の簡単な説明】
【００１２】
【図１】本発明の角型柱取付用の落下防止ネットの説明用斜視図である。
【図２】本発明の角型柱取付用の落下防止ネットのネット支持体の説明用側面図である。
【図３】本発明の角型柱取付用の落下防止ネットのネット支持体の説明用平面図である。
【図４】本発明の角型柱取付用の落下防止ネットのＬ字取付具の説明用平面図である。
【図５】本発明の角型柱取付用の落下防止ネットのＬ字取付具の説明用斜視図である。
【発明を実施するための形態】
【００１３】
以下図面によって本発明の実施例を説明する。
【実施例１】
【００１４】
図１〜図５に示すように、１は、垂設された断面矩形状の角型柱２に固定される落下防止ネットを示し、該落下防止ネット１は、上記角型柱２の正面２ａに装着され、該正面２ａは、例えば、上記角型柱２の線路側を向く面であり、この場合には、路線内への落下を防止する。
【００１５】
なお、上記正面２ａは、工事の内容によっては、線路側を向く面以外の面であってもよい。
【００１６】
上記落下防止ネット１は、落下物を受け止めるための、例えば網状のネット３と、該ネット３を開いた状態で支持する、略水平面内において放射状に設けられる４本の長尺状のネット支持体４と、上記４本のネット支持体４のうちの２本の一方及び他方のネット支持体４を固定すると共に、上記角型柱２の正面２ａの左側の角部５に当接される、例えば、金属製の左側のＬ字取付具６と、上記４本のネット支持体４のうちの残りの（他の）２本の一方及び他方のネット支持体４を固定すると共に、上記角型柱２の正面２ａの右側の角部７に当接される、例えば、金属製の右側のＬ字取付具８と、該左右のＬ字取付具６、８を上記角型柱２に固定するためのラッシングベルトなどのベルト９などの固定手段とよりなる。
【００１７】
なお、上記ネット３は、例えば、展開した状態が１８０度の略半円状のものであり、ネットを張った後のネットの弛み量を考慮した形状のものが用いられる。
【００１８】
また、上記各ネット支持体４は、図２及び図３に示すように、上記Ｌ字取付具６、８に接続される基部４ａから先端部４ｂに向かうに従って上下方向の幅が徐々に小さくなる三角形状の長尺状の板体１０よりなり、該板体１０には、基部４ａ側から先端部４ｂ側に向かって狭くなる三角形状の開口部１１が設けられると共に、該開口部１１の上辺縁１１ａと下辺縁１１ｂとを連結する傾斜した補強用の連結杆１２が１又は複数設けられている。
【００１９】
なお、上記連結杆１２により区画された上記開口部１１の各開口部分１１ｃ、１１ｄ、１１ｅ、１１ｆは、それぞれ強度を持たせるために、それぞれ三角形状に形成されることが好ましい。
【００２０】
例えば、３つの連結杆１２ａ、１２ｂ、１２ｃにより上記開口部１１が、４つの三角形状の開口部分１１ｃ、１１ｄ、１１ｅ、１１ｆに区画されるようにするために、上記ネット支持体４の基部４ａ側の第１の連結杆１２ａは、上記開口部１１の基部側上部の角部１３から、先端部４ｂ側に斜め下方に傾斜して、上記下辺縁１１ｂに連結し、また、中間部の第２の連結杆１２ｂは、上記第１の連結杆１１ａの下端から、先端部４ｂ側に斜め上方に傾斜して、上記上辺縁１１ａに連結し、また、先端部４ｂ側の第３の連結杆１２ｃは、上記第２の連結杆１２ｂの上端から、先端部４ｂ側に斜め下方に傾斜して、上記下辺縁１１ｂに連結されるように形成される。
【００２１】
また、上記ネット支持体４は、例えば、上記基部４ａと、略水平方向に延びる上辺部４ｃと、基部から先端部に向かって上方に傾斜した下辺部４ｄとよりなる三角形状の環状の枠体を構成するように形成され、該ネット支持体４は、例えば、アルミニウム板をレーザーで切り出し加工して、一体成型で形成することにより、軽量化と強度を持つようにしている。
【００２２】
また、上記板体１０の一方の面１０ａ及び他方の面１０ｂには、それぞれ、アルミニウム製の三角枠状の補強部材１４が溶接等により固定されている。
【００２３】
また、上記左側のＬ字取付具６は、図４及び図５に示すように、矩形板状の側面板６ａと矩形板状の正面板６ｂとが直角に折れ曲がって連設されてＬ字状に形成され、該側面板６ａと正面板６ｂの内側面が、上記柱２の左側面２ｂと正面２ａにそれぞれ当接するように構成される。
【００２４】
また、上記側面板６ｂの外側面には、上記一方のネット支持体４を、ネジ等により固定するための固定部１５が設けられ、該固定部１５は、上記ネット支持体４の上辺部４ｃの長手方向が、上記柱２の左側面２ｂに直交する方向を向いて固定されるように形成される。
【００２５】
また、上記正面板６ｂの外側面には、上記他方のネット支持体４を、ネジ等により固定するための固定部１６が設けられ、該固定部１６は、上記他方のネット支持体４の上辺部４ｃの長手方向が、上記一方のネット支持体４の上辺部４ｃの長手方向に対して、水平面内において正面２ａ側に６５度傾斜して固定されるように形成される。
【００２６】
また、同様に、上記右側のＬ字取付具８は、矩形板状の側面板８ａと矩形板状の正面板８ｂとが直角に折れ曲がって連設されてＬ字状に形成され、該側面板８ａと正面板８ｂの内側面が、上記柱２の右側面２ｃと正面２ａにそれぞれ当接するように構成される。
【００２７】
また、上記側面板８ａの外側面には、上記一方のネット支持体４を、ネジ等により固定するための固定部１７が設けられ、該固定部１７は、上記ネット支持体４の上辺部４ｃの長手方向が、上記柱２の右側面２ｃに直交する方向を向いて固定されるように形成される。
【００２８】
また、上記正面板８ｂの外側面には、上記他方のネット支持体４を、ネジ等により固定するための固定部１８が形成され、該固定部１８は、上記他方のネット支持体４の上辺部４ｃの長手方向が、上記一方のネット支持体４の上辺部４ｃに対して、水平面内において正面２ａ側に６５度傾斜して固定されるように形成される。
【００２９】
即ち、上記左側のＬ字取付具６に固定された他方のネット支持体４の上辺部４ｃの長手方向と、上記右側のＬ字取付具８に固定された他方のネット支持体４の上辺部４ｃの長手方向とは５０度の角度をもって固定されるようになる。
【００３０】
また、上記柱２の正面２ａ側で、上記左側のＬ字取付具６の正面板６ｂと上記右側のＬ字取付具８の正面板８ｂとの間をラッシングベルトなどの締付ベルト９ａで連結し締め付ける共に、上記柱２の背面２ｄ側で、上記左側のＬ字取付具６の側面板６ａと上記右側のＬ字取付具８の側面板８ａとの間をラッシングベルトなどの締付ベルト９ｂで連結し締め付けることにより、上記左右のＬ字取付具６、８を上記角型柱２に固定するようにする。
【００３１】
本発明は上記構成であるから、落下防止ネットを設置するためには、まず、左側のＬ字取付具６を上記角型柱２の左側の角部５に当接し、また、右側のＬ字取付具８を上記右側の角部７に当接し、そして、ベルト９ａ、９ｂにより、上記左右のＬ字取付具を連結して締め付けることにより、上記Ｌ字取付具６、８を上記角型柱２に固定できるようになる。
【００３２】
そして、各Ｌ字取付具の固定部にそれぞれネット支持体４をそれぞれ固定し、そして、該ネット支持体４にネット３を開いた状態で固定するようにする。
【００３３】
本発明によれば、左右のＬ字取付具６、８を用いたので、角型柱２に落下防止ネット１を簡単に設置できるようになる。また、左側のＬ字取付具６と、右側のＬ字取付具８と、ベルトを用いて、角型柱２に固定するようにしたので、角型柱の大きさによらず、脱落防止ネットを取り付けることができるようなる。
【００３４】
また、ネット支持体４に開口部１１を設けると共に、補強のための連結杆１２を設けたので、軽量で強度が高い脱落防止ネットを提供することができるようになる。
【００３５】
また、４つのネット支持体４を上記所望の角度に設定することにより、落下物がどの位置に落下しても、上記ネット支持体にかかる負荷を分散させることができ、これにより、、より軽量のネット支持枠で、工具等の落下を防止することができるようになる。
【００３６】
また、強度と軽量化を図ることができるので、脱落防止ネットをベルトで固定できるようになる。
【００３７】
また、ネット支持体４は軽量であるので、一人で取り付けができるようになる。
【符号の説明】
【００３８】
１      落下防止ネット
２      角型柱
２ａ    正面
２ｂ    左側面
２ｃ    右側面
２ｄ    背面
３      ネット
４      ネット支持体
４ａ    基部
４ｂ    先端部
４ｃ    上辺部
４ｄ    下辺部
５      左側の角部
６      左側のＬ字取付具
６ａ    側面板
６ｂ    正面板
７      右側の角部
８      右側のＬ字取付具
８ａ    側面板
８ｂ    正面板
９      ベルト
９ａ    ベルト
９ｂ    ベルト
１０    板体
１０ａ  一方の面
１０ｂ  他方の面
１１    開口部
１１ａ  上辺縁
１１ｂ  下辺縁
１１ｃ  開口部分
１１ｄ  開口部分
１１ｅ  開口部分
１１ｆ  開口部分
１２    連結杆
１２ａ  連結杆
１２ｂ  連結杆
１２ｃ  連結杆
１３    角部
１４    補強部材
１５    固定部
１６    固定部
１７    固定部
１８    固定部
【図１】
2019011556.tif 000003
【図２】
2019011556.tif 000004
【図３】
2019011556.tif 000005
【図４】
2019011556.tif 000006
【図５】
2019011556.tif 000007